(57)【要約】      （修正有）【課題】ガスコンロの直上に小型ガス湯沸器が設置してある場合に、小型ガス湯沸器を使用していない時、調理中にガスコンロから出る排気が熱により上昇し、小型ガス湯沸器の上部へ降り落ちると同時に内部の熱交換器やバーナー、ガスノズルに降り落ち、油等がホコリと一緒に詰まる原因になっており、この現象を改善する。【解決手段】小型ガス湯沸器１の前面、左側面、右側面にほぼ水平な連続した羽根２の突起を出し、ガスコンロの排気４が小型ガス湯沸器１から羽根２の先端より近いものは羽根２で上昇できず、羽根２の先端より遠いものは小型ガス湯沸器１から離れるため、小型ガス湯沸器１に降り落ちず、ほとんどは羽根２に降り落ち、小型ガス湯沸器１の上部に降り落ちる量が大幅に減少する。【選択図】図１
2016065700.tif 000002
【特許請求の範囲】
【請求項１】
小型ガス湯沸器の前面、左側面、右側面にほぼ水平な連続した羽根の突起を出し、ガスコンロの排気が小型ガス湯沸器から羽根の先端より近いものは羽根で上昇できず、羽根の先端より遠いものは小型ガス湯沸器から離れるため、小型ガス湯沸器に降り落ちず、ほとんどは羽根に降り落ち、小型ガス湯沸器の上部に降り落ちる量が大幅に減少することを特徴とする小型ガス湯沸器用羽根
【発明の詳細な説明】
【技術分野】
【０００１】
本発明は小型ガス湯沸器のカバーに関する。
【背景技術】
【０００２】
おもに家庭用に使用する小型ガス湯沸器がガスコンロの直上に設置してある場合に起こる問題点を二つのケースについて考える。ただし一つは既に防止策がある。
（ア）小型ガス湯沸器とガスコンロが同時に使用される場合
ガスコンロから排気が出る。
小型ガス湯沸器はガスコンロから熱で上昇しながら出る排気を周りの空気と一緒に給気口から吸い込み小型ガス湯沸器の中へ入っていく。小型ガス湯沸器バーナーの燃焼により小型ガス湯沸器の上部からも上昇しながら排気が出るのでガスコンロから出る排気は小型ガス湯沸器の上部に落ちにくいが、ガスコンロから出る排気を小型ガス湯沸器で再度燃焼に使用することは酸欠による不完全燃焼の可能性があり問題である。
この状態の防止策としてガスコンロから出る排気を小型ガス湯沸器に給気しないようにするため、特許文献１・２は有効な手段である。
しかし、
（イ）小型ガス湯沸器とガスコンロが同時に使用されずガスコンロのみが使用される場合 
ガスコンロから排気が出る。
小型ガス湯沸器は使用していないので排気は出ないし給気もしていないため、ガスコンロから出る排気は給気口から小型ガス湯沸器の中へ入りにくいと考えられるが、小型ガス湯沸器の上部へ降り落ちるガスコンロから出る排気に対して十分な防止策はなかった。
この防止策として特許文献１・２ともに有効でない。
調理中の状態を考えると（ア）のケースより（イ）のケースの方の状態が多いと考えられる。（ア）、（イ）のケースともに防止策を実施しなければ小型ガス湯沸器がガスコンロの直上に設置してある場合の有効な手段にならない。
本発明は（イ）のケースのみの防止策について考えるものとし、排気はガスコンロのみ出る場合の状態である。
調理中にガスコンロから出る排気（ガスコンロから出る排気とはガスコンロの燃焼排ガスと鍋等から飛び散る油や調味料を含んだ水蒸気が混ざり合ったものを言い、以降は排気またはガスコンロの排気と言う。）が熱により上昇し、小型ガス湯沸器の上部へ降り落ちると同時に、内部の熱交換器やバーナー、ガスノズルに降り落ち、油等が詰まる原因になっており、不完全燃焼の発生原因の一つである。
防風板として小型ガス湯沸器側面の給気口に部分的に取り付けるものや前面以外の五面を囲うもの、防熱板として上方２０ｃｍ位に取り付けるもの、下方に取り付けるものがある。また、ガスコンロからの排気をガードするものとしてガス湯沸器の前面に垂らしガスコンロの天板より上から小型ガス湯沸器までをガードするものがあるが、小型ガス湯沸器の上部へ降り落ちる排気に対して十分な効果がなかった。
【先行技術文献】
【特許文献】
【０００３】
【特許文献１】特開２０１４−４７９５０
【特許文献２】特許第５４７７６０１号公報
【発明の概要】
【発明が解決しようとする課題】
【０００４】
ガスコンロの排気自体の熱で上昇し、小型ガス湯沸器の近くを上昇するときに排気の流れが小型ガス湯沸器側へ渦状に降り落ちるような流れになるため小型ガス湯沸器の上部に多く排気が落ちる。この現象を改善することを課題とする。
【課題を解決するための手段】
【０００５】
小型ガス湯沸器の前面、左側面、右側面に連続した羽根をほぼ水平に取り付ける。または小型ガス湯沸器自体の前面本体カバーの形状を羽根状の突起があるもの等とする。ただし横に壁がある等用途により羽根を部分的に省略できるものとする。
ガスコンロからの排気が、小型ガス湯沸器から羽根の先端より近いものは羽根で上昇できず、羽根の先端より遠いものは小型ガス湯沸器から離れるため小型ガス湯沸器の上部に降り落ちずほとんどは羽根に降り落ち、小型ガス湯沸器の上部に降り落ちる量は大幅に減少する。また羽根の先端形状を（曲線、網状、縞の切れ込みを入れる等）工夫し、排気が小型ガス湯沸器側に渦状に降り落ちるような流れの最少化に努めできるだけ渦ができずまっすぐ上昇することが望ましい。
また、羽根を下部や中間にも取り付けることでガスコンロの排気を小型ガス湯沸器の本体に給気しにくいことと汚れにくくなる効果も期待できる。
【発明の効果】
【０００６】
小型ガス湯沸器用羽根により、ガスコンロの排気が小型ガス湯沸器の上部から入りにくく内部の熱交換器やバーナー、ガスノズルに降り落ちにくい、油等が詰まる原因がほぼ解消され、小型ガス湯沸器用羽根を使用することで
１ 不完全燃焼が減少し、ＣＯ中毒の原因が減少する。  
２ 小型ガス湯沸器の故障原因の一因がほぼ解決し寿命が長くなる。
の効果がある。
【図面の簡単な説明】
【０００７】
【図１】小型ガス湯沸器用羽根
【符号の説明】
【０００８】
１  小型ガス湯沸器
２  羽根
３  金具、ねじ、磁石等
４  排気の流れ
５  小型ガス湯沸器の側面給気口
【実施例１】
【０００９】
実施例として、小型ガス湯沸器の前面、左側面、右側面に連続した羽根（前面１３ｃｍ、左側面５ｃｍ、右側面５ｃｍ）をほぼ水平に小型ガス湯沸器との間にできるだけ隙間ができないように磁石で取り付け、揚げ物の調理用１８０℃設定で鍋を加熱し鍋の中の油に水を注ぎガスコンロの排気に多く油が含まれるようにした例では、小型ガス湯沸器の上部に油が降り落ちることがほとんどなく羽根がない時と比較すると約２０分の１以下になり、羽根を前面（前面１３ｃｍ）のみとし左右側面部分に羽根がない状態にすると約２０分の３以下になった。実際の調理の結果について今後フォローしなくてはならない。
【００１０】
図１の如く、小型ガス湯沸器１の前面、左側面、右側面に連続した羽根２をほぼ水平に取り付ける、ガスコンロの排気４は小型ガス湯沸器１から羽根２の先端より近いものは羽根２で上昇できず、羽根２の先端より遠いものは小型ガス湯沸器１から離れるため、小型ガス湯沸器１に降り落ちず、ほとんどは羽根２に降り落ち、小型ガス湯沸器１の上部に降り落ちる量は大幅に減少する。
【産業上の利用可能性】
【００１１】
小型ガス湯沸器用羽根により、ガスコンロの排気が小型ガス湯沸器の上部から入りにくく、内部の熱交換器やバーナー、ガスノズルに降り落ち油等が詰まる原因がほぼ解消され
１ 不完全燃焼が減少し、ＣＯ中毒の原因が減少する。  
２ 小型ガス湯沸器の寿命が長くなる。
の効果があり産業上の利用可能性は十分ある。
【図１】
2016065700.tif 000003